(57)【要約】【課題】給紙トレイにおいて、ガイド部材を容易に取り付け可能にして製造コストを低減可能にし、また容易に取り扱い可能にする。【解決手段】給紙トレイ１には、ガイド部材２が、ガイド部材２の下面に形成された保持片２ｃがレール孔１ｂの側端縁部１ｄに嵌装されて、スライド自在に取り付けられている。レール孔１ｂの端部には、保持片２ｃが挿入可能な挿入孔１ｃが形成されている。挿入孔１ｃの端部近傍には、挿入孔１ｃを遮るように、上下方向に可撓性を有するような梁状の爪部１ｅが形成されている。ガイド部材２は、給紙トレイ１の上方から保持片２ｃを爪部１ｅに押し当てて、爪部１ｅを撓ませながら挿入孔１ｃに挿入することにより、給紙トレイ１に容易に取り付け可能である。また、ガイド部材２を挿入孔１ｃに向けスライドさせた際には保持片２ｃが爪部１ｅに当接し、ガイド部材２が給紙トレイ１から離脱してしまうことがなくなる。【選択図】図６
2007230767.tif 000002
【特許請求の範囲】
【請求項１】
用紙の側端部を位置決めするガイド部材がスライド自在に取り付けられており、用紙が所定の方向に載置される給紙トレイと、
この給紙トレイに載置された用紙を筐体内部に給紙・搬送する用紙搬送機構と、
この用紙搬送機構により搬送された用紙に画像を形成する画像形成部とを備え、
前記給紙トレイは、用紙の給紙方向と略直交する方向が長手方向となるように、給紙トレイの上面を貫通するように形成された長穴状のレール孔と、記録紙の給紙方向に沿って立設されており、載置される記録紙の、前記ガイド部材により位置決めされる側端部とは反対側の側端部をガイドする基準ガイド部と、前記レール孔の前記基準ガイド部が設けられている側とは反対側の端部に形成されており、レール孔よりも幅寸法が大きい挿入孔とを有しており、
前記ガイド部材は、下方に立設され前記レール孔より幅寸法が小さい首部と、この首部の下端部に形成され、前記レール孔より幅寸法が大きく、前記挿入孔より幅寸法が小さいフランジ部とを有し、前記給紙トレイに、前記フランジ部を前記挿入孔に挿入し、前記首部が前記レール孔を貫通してガイド部材の下面と前記フランジ部とで前記レール孔の側端縁部をスライド可能に挟み込むようにして嵌装されている画像形成装置において、
前記給紙トレイは、前記挿入孔の、前記レール孔の長手方向の端部近傍に立設された爪部をさらに有しており、
この爪部は、前記基準ガイド部に向け、給紙トレイ上方から見て挿入孔を遮るように、上下方向に可撓性を有するように梁状に形成されており、
前記ガイド部材は、前記フランジ部を前記給紙トレイの上方から前記爪部に押し当てて爪部を撓ませながら挿入孔に挿入することにより前記給紙トレイに取り付け可能であり、
前記ガイド部材を、前記レール孔の挿入孔が形成されている端部に向けスライドさせたとき、前記首部又はフランジ部と復元した爪部の先端部とが当接することにより、前記フランジ部が挿入孔から抜脱し前記ガイド部材が給紙トレイから離脱しないように構成されていることを特徴とする画像形成装置。
【請求項２】
用紙の端部を位置決めするガイド部材がスライド自在に取り付けられており、用紙が載置される給紙トレイであって、
前記給紙トレイの本体には、給紙トレイ上面に形成された長穴状のレール孔と、このレール孔の端部に形成された挿入孔と、この挿入孔の端部近傍に、給紙トレイ上方から見て挿入孔を遮るように、上下方向に可撓性を有するように立設された爪部が形成されており、
前記ガイド部材は、前記挿入孔に挿入可能で前記レール孔の側端縁部をスライド可能に挟み込む保持部を有しており、この保持部を前記爪部に押し当てて爪部を撓ませながら前記挿入孔に挿入することにより給紙トレイに取り付け可能であり、
前記ガイド部材を、前記レール孔の前記挿入孔の近傍部位に向けスライドさせたとき、前記保持部と復元した爪部とが当接するように構成されていることを特徴とする給紙トレイ。
【請求項３】
前記保持部は、前記ガイド部材から下方に立設され前記レール溝より幅寸法が小さい首部と、この首部の下端部に形成され、前記レール孔より幅寸法が大きく、前記挿入孔より幅寸法が小さいフランジ部とを有しており、
前記ガイド部材は、その下面と前記フランジ部とで前記側端縁部をスライド可能に挟み込むようにして嵌装されていることを特徴とする請求項２に記載の給紙トレイ。
【発明の詳細な説明】
【技術分野】
【０００１】
本発明は、画像形成装置、特にその給紙トレイのガイド部材取り付け構造に関する。
【背景技術】
【０００２】
一般的に、画像形成装置等の給紙トレイには、用紙がずれないように用紙の端部をガイドするガイド部材が取り付けられている。このガイド部材は、給紙トレイに載置される用紙のサイズに応じて、その位置をスライドさせて変更可能である。
【０００３】
ガイド部材がスライド自在に取り付けられた給紙トレイとしては、例えば特許文献１に記載されているように、給紙トレイのガイド溝にガイド部材の突片を挿入し、給紙トレイの下側からフリクション部材をビスにより係止することにより、ガイド部材を給紙トレイに取り付けた構造のものがある。しかしながら、このような構造の給紙トレイでは、スライド部材を給紙トレイに取り付けるための取り付け作業が煩雑であり、給紙トレイを構成する部品の点数も多くなるという問題がある。取り付け作業が煩雑であったり、部品点数が多いと、製造コストが高くなってしまう。
【０００４】
ガイド部材が給紙トレイに取り付けるための部品をガイド部材とは別に用いず、ガイド部材を容易に取り付け可能である給紙トレイとしては、例えば、次のようなものが知られている。特許文献２には、ガイド部材の抜け止め部にアーム部と爪部を設け、このアーム部を撓ませてガイド部材を給紙トレイのレール溝へ着脱可能にしたものが記載されている。また、特許文献３及び特許文献４には、給紙トレイのレール溝の一部に切り欠きを設け、この切り欠きにガイド部材のレール溝に嵌装される部位を挿入することにより、給紙トレイに容易にガイド部材を取り付けることができるようにしたものが記載されている。
【０００５】
しかしながら、特許文献２に記載されている給紙トレイでは、ガイド部材に、抜け止め部から給紙トレイの裏面側に向け、アーム部が可撓性を有するように形成されているので、給紙トレイの上下方向の寸法が厚くなってしまう。そして、ガイド部材にアーム部と爪部が形成されているので、ガイド部材の形状が複雑なものになってしまい、製造コストが高くなってしまう。また、特許文献３及び特許文献４に記載されている給紙トレイでは、ガイド部材を移動させて切り欠きの位置とスライド部材のレール溝に嵌装されている部位の位置とが一致したときに、ガイド部材が給紙トレイから離脱してしまうことがある。そのため、ユーザは、ガイド部材が給紙トレイから離脱しないように留意して、給紙トレイを取り扱う必要がある。
【特許文献１】特開２００５−２００１１３号公報
【特許文献２】特開平１１−７９４１８号公報
【特許文献３】特開２００２−２５５３６１号公報
【特許文献４】登実３００２２０８号公報
【発明の開示】
【発明が解決しようとする課題】
【０００６】
本発明は、上記問題点を鑑みてなされたものであり、ガイド部材を容易に取り付けることが可能で製造コストを低減することができ、容易に取り扱うことが可能な給紙トレイを提供することを目的とする。
【課題を解決するための手段】
【０００７】
上記目的を達成するため請求項１の発明は、用紙の側端部を位置決めするガイド部材がスライド自在に取り付けられており、用紙が所定の方向に載置される給紙トレイと、この給紙トレイに載置された用紙を筐体内部に給紙・搬送する用紙搬送機構と、この用紙搬送機構により搬送された用紙に画像を形成する画像形成部とを備え、前記給紙トレイは、用紙の給紙方向と略直交する方向が長手方向となるように、給紙トレイの上面を貫通するように形成された長穴状のレール孔と、記録紙の給紙方向に沿って立設されており、載置される記録紙の、前記ガイド部材により位置決めされる側端部とは反対側の側端部をガイドする基準ガイド部と、前記レール孔の前記基準ガイド部が設けられている側とは反対側の端部に形成されており、レール孔よりも幅寸法が大きい挿入孔とを有しており、前記ガイド部材は、下方に立設され前記レール孔より幅寸法が小さい首部と、この首部の下端部に形成され、前記レール孔より幅寸法が大きく、前記挿入孔より幅寸法が小さいフランジ部とを有し、前記給紙トレイに、前記フランジ部を前記挿入孔に挿入し、前記首部が前記レール孔を貫通してガイド部材の下面と前記フランジ部とで前記レール孔の側端縁部をスライド可能に挟み込むようにして嵌装されている画像形成装置において、前記給紙トレイは、前記挿入孔の、前記レール孔の長手方向の端部近傍に立設された爪部をさらに有しており、この爪部は、前記基準ガイド部に向け、給紙トレイ上方から見て挿入孔を遮るように、上下方向に可撓性を有するように梁状に形成されており、前記ガイド部材は、前記フランジ部を前記給紙トレイの上方から前記爪部に押し当てて爪部を撓ませながら挿入孔に挿入することにより前記給紙トレイに取り付け可能であり、前記ガイド部材を、前記レール孔の挿入孔が形成されている端部に向けスライドさせたとき、前記首部又はフランジ部と復元した爪部の先端部とが当接することにより、前記フランジ部が挿入孔から抜脱し前記ガイド部材が給紙トレイから離脱しないように構成されているものである。
【０００８】
請求項２の発明は、用紙の端部を位置決めするガイド部材がスライド自在に取り付けられており、用紙が載置される給紙トレイであって、前記給紙トレイの本体には、給紙トレイ上面に形成された長穴状のレール孔と、このレール孔の端部に形成された挿入孔と、この挿入孔の端部近傍に、給紙トレイ上方から見て挿入孔を遮るように、上下方向に可撓性を有するように立設された爪部が形成されており、前記ガイド部材は、前記挿入孔に挿入可能で前記レール孔の側端縁部をスライド可能に挟み込む保持部を有しており、この保持部を前記爪部に押し当てて爪部を撓ませながら前記挿入孔に挿入することにより給紙トレイに取り付け可能であり、前記ガイド部材を、前記レール孔の前記挿入孔の近傍部位に向けスライドさせたとき、前記保持部と復元した爪部とが当接するように構成されているものである。
【０００９】
請求項３の発明は、請求項２の発明において、前記保持部は、前記ガイド部材から下方に立設され前記レール溝より幅寸法が小さい首部と、この首部の下端部に形成され、前記レール孔より幅寸法が大きく、前記挿入孔より幅寸法が小さいフランジ部とを有しており、前記ガイド部材は、その下面と前記フランジ部とで前記側端縁部をスライド可能に挟み込むようにして嵌装されているものである。
【発明の効果】
【００１０】
請求項１の発明によれば、挿入孔の端部近傍に上下方向に可撓性を有する爪部が形成されており、ガイド部材のフランジ部を爪部に押し当てて爪部を撓ませながら挿入孔に挿入することにより、ガイド部材を給紙トレイに取り付け可能である。従って、ガイド部材の取り付け作業をより容易に行うことができ、画像形成装置の製造コストを低減することが可能になる。また、ガイド部材をレール孔の挿入孔が形成されている端部に向けスライドさせたとき、首部又はフランジ部と爪部の先端部が当接するので、ユーザが意図せず、フランジ部が貫通孔から抜脱しガイド部材が給紙トレイから離脱してしまうことがなくなる。従って、ガイド部材を離脱しないように取り付けるためにガイド部材とは別の部品を用いる必要が無いので、部品点数を少なくすることができ、画像形成装置の製造コストを低減することが可能になると共に、画像形成装置の給紙トレイを、容易に取り扱い可能なものにすることができる。さらに、ガイド部材は、給紙トレイのレール孔に嵌装される部位のみが形成されており、ガイド部材の下面とフランジ部とで給紙トレイのレール孔の側端縁部をスライド可能に挟み込むようにして嵌装されている。従って、給紙トレイの厚みを厚くする必要がなく、給紙トレイを薄型化することが可能である。
【００１１】
請求項２の発明によれば、挿入孔の端部近傍に上下方向に可撓性を有する爪部が形成されており、保持部を爪部に押し当てて爪部を撓ませながら挿入孔に挿入してガイド部材を給紙トレイに取り付け可能である。また、ガイド部材を、挿入工の近傍部位に向けスライドさせたとき、保持部と爪部とが当接するので、ユーザが意図せずガイド部材が給紙トレイから離脱してしまうことがなくなる。従って、上述と同様に、ガイド部材をより容易に取り付け可能になると共に、給紙トレイの部品点数を少なくすることが可能であり、製造コストを低減することが可能である。そして、給紙トレイを、容易に取り扱い可能なものにすることができる。
【００１２】
請求項３の発明によれば、ガイド部材は、給紙トレイのレール孔に嵌装される部位のみが形成されており、ガイド部材の下面とフランジ部とで給紙トレイのレール孔の側端縁部をスライド可能に挟み込むようにして嵌装されている。従って、アーム部等を設けずに給紙トレイを組み立てが容易で取り扱いも容易であるものにすることが可能であり、給紙トレイの厚みを厚くする必要がなく、給紙トレイを薄型化することが可能である。
【発明を実施するための最良の形態】
【００１３】
以下、本発明の一実施形態について図面を参照して説明する。図１は、本実施形態に係る画像形成装置の一例を示す。この画像形成装置１０は、例えばレーザビームプリンタであって、筐体１５の上部に設けられた排紙部１７と、筐体１５の下部に引き出し可能に設けられ、内部に記録紙（用紙）Ｐが載置される給紙カセット１６とを備えている。この画像形成装置１０は、例えば外部のパーソナルコンピュータ等に接続されて、このパーソナルコンピュータ等から画像データ等が送信されることにより、記録紙Ｐにその画像データに基づいて画像を形成する機能等を有するものである。
【００１４】
この画像形成装置１０は、給紙カセット１６とは別に、サイズの異なる記録紙Ｐ等に画像形成する場合等に使用する給紙トレイ１を筐体１５の前面に有している。給紙トレイ１は、樹脂製であり、下方で筐体１５に軸支され開閉自在に筐体１５に取り付けられている前面パネル１５ａの裏側に取り付けられている。すなわち、図に示すように、前面パネル１５ａを手前側に開くことにより、給紙トレイ１の上面に、記録紙Ｐを略水平に載置可能になるように構成されている。
【００１５】
筐体１５の内部には、記録紙Ｐに画像を形成する画像形成部１１が配されている。また、筐体１５の内部には、給紙カセット１６に載置された記録紙Ｐ又は給紙トレイ１に載置された記録紙Ｐを筐体１５の内部の画像形成部１１に給紙・搬送すると共に、画像形成部１１により画像が形成された記録紙Ｐを排紙部１７上に排出する記録紙搬送機構（用紙搬送機構）１２が配されている。図１において、点線による矢印線Ａは、この画像形成装置１０の記録紙搬送経路の一例を示す。
【００１６】
画像形成部１１は、例えば、電子写真方式により記録紙Ｐに画像を形成する。すなわち、画像形成部１１は、例えば、感光体ドラムにレーザビームを照射してトナー像を形成させ、このトナー像を記録紙Ｐに転写させた後、ホットローラで記録紙Ｐを挟圧しながら加熱してそのトナー像を記録紙Ｐに定着させることにより画像を形成する。なお、画像形成部１１の画像形成方式はこれに限られるものではなく、例えば、記録紙Ｐの搬送方向と略直交する方向にキャリッジを往復移動させながら、キャリッジから記録紙Ｐ上にインクを吐出する、いわゆるインクジェット方式により記録紙Ｐに画像を形成するように構成されているものであってもよい。
【００１７】
記録紙搬送機構１２は、例えば給紙トレイ１又は給紙カセット１６に載置された記録紙Ｐを一枚ずつ送出する給紙ローラ（図示せず）と、給紙ローラにより給紙された記録紙Ｐを画像形成部１１に搬送する搬送ローラ（図示せず）と、これらのローラ等を駆動するためのモータ（図示せず）等とで構成されている。
【００１８】
本実施形態において、給紙トレイ１には、ガイド部材２と、エクステンション３とが取り付けられている。図に示すように、給紙トレイ１の上面には、記録紙Ｐの給紙方向に沿って立設された基準ガイド部１ａと、記録紙Ｐの給紙方向と略直交する方向（図に矢印Ｂで示す）が長手方向となるように形成されたレール孔１ｂとが設けられている。ガイド部材２は、給紙トレイ１の上方に、記録紙Ｐの側端部を位置決めするための位置決め部２ａが立設するように配置されている。ガイド部材２は、後述のように、レール孔１ｂに沿ってスライド自在に取り付けられている。エクステンション３は、給紙トレイ１の下方に給紙トレイ１から手前に引き出し可能に取り付けられている。すなわち、この画像形成装置１０は、エクステンション３を引き出すことにより、長手方向のサイズの大きな記録紙Ｐでも給紙トレイ１とエクステンション３の上面とで構成される平面上に略水平に載置可能となるように構成されている。なお、給紙トレイ１は、必ずしもエクステンション３を有していなくてもよい。
【００１９】
この給紙トレイ１には、例えばはがきサイズからＡ３サイズまでの大きさの記録紙Ｐを載置することができる。すなわち、例えばＡ３サイズの大きさの記録紙Ｐを載置する際には、ガイド部材２を、レール孔１ｂの基準ガイド部１ａが設けられている側とは反対側の端部に向けスライドさせる。そして、基準ガイド部１ａと位置決め部２ａとの間に、記録紙Ｐを、長手方向が給紙方向となるように配置する。その後、記録紙Ｐの各側片がそれぞれ基準ガイド部１ａと位置決め部２ａに当接して記録紙Ｐが位置決めされるようにガイド部材２の位置を調整することにより、記録紙Ｐが所定の方向に載置される。はがきサイズ等のサイズの記録紙Ｐも、上述と略同様に載置される。すなわち、記録紙Ｐは、そのサイズに応じてガイド部材２の位置をスライドさせて、基準ガイド部１ａと位置決め部２ａにより記録紙Ｐの各側端部を位置決めした状態で載置される。
【００２０】
図２及び図３は、給紙トレイ１を示す。給紙トレイ１は、上述のように設けられた基準ガイド部１ａ及びレール孔１ｂと、レール孔１ｂの基準ガイド部１ａが設けられている側とは反対側の端部に形成された挿入孔１ｃとを有している。本実施形態において、レール孔１ｂ及び挿入孔１ｃは、給紙トレイ１の上面を貫通するように形成されている。レール孔１ｂの長手方向の側端縁部１ｄは、図３に示すように、給紙トレイ１の上面から下方に段差を形成するように、断面鉤型状に延設されている。挿入孔１ｃは、このレール孔１ｂの側端縁部１ｄ間の幅寸法よりも、幅寸法が大きくなるように形成されている。この挿入孔１ｃの、レール孔１ｂの長手方向の端部近傍には、基準ガイド部１ａに向けて、梁状の爪部１ｅが形成されている。この爪部１ｅは、図に示すように、給紙トレイ１の上方から見て挿入孔１ｃを遮るように、また、レール孔１ｂの側端縁部１ｄの上面と略同じ高さとなるように立設されている。そして、この爪部１ｅは、上下方向の厚みが薄く形成されており、上下方向に可撓性を有するように形成されている。なお、側端縁部１ｄの形状や、爪部１ｅの形状等は、これに限られるものではない。
【００２１】
図４（ａ）、（ｂ）は、ガイド部材２を示す。図４（ａ）に示すように、ガイド部材２は、上方に立設された位置決め部２ａを有しており、記録紙Ｐの給紙方向に沿って、断面が略Ｌ字状のアングル形状となるように構成されている。ガイド部材２の下面には、図４（ｂ）に示すように、後述のように給紙トレイ１のレール孔１ｂに嵌装される保持片（保持部）２ｃが突設されている。保持片２ｃは、記録紙Ｐの給紙方向に略直交する方向（矢印Ｂ方向）に単一断面を有する形状に形成されている。保持片２ｃは、ガイド部材２の下面に下方に突設された首部２ｅと、首部２ｅの下端部に形成されたフランジ部２ｆと、首部２ｅの上部に、ガイド部の下面から突設されるように形成された支持部２ｇとで構成されている。首部２ｅは、その幅寸法が、レール孔１ｂの側端縁部１ｄ間の幅寸法よりも小さくなるように形成されている。フランジ部２ｆは、レール孔１ｂの側端縁部１ｄ間の幅寸法よりも幅寸法が大きく、挿入孔１ｃより幅寸法が小さくなるように形成されている。すなわち、フランジ部２ｆは、挿入孔１ｃに挿入可能な大きさに形成されている。また、支持部２ｇは、レール孔１ｂの側端縁部１ｄで形成された段差部分に嵌装可能な幅寸法に形成されている。なお、保持片２ｃは、支持部２ｇを有さないような構成であってもよい。
【００２２】
図５は、給紙トレイ１に取り付けられた状態のガイド部材２を示す。図に示すように、ガイド部材２は、保持片２ｃによりレール孔１ｂの側端縁部１ｄをスライド可能に挟み込むようにして、給紙トレイ１に嵌挿されている。すなわち、ガイド部材２が給紙トレイ１に取り付けられている状態では、支持部２ｇが、給紙トレイ１のレール孔１ｂの側端縁部１ｄにより形成されている給紙トレイ１の上面からの段差部分に嵌挿されている。そして、側端縁部１ｄ間のレール孔１ｂの貫通孔部位に首部２ｅが貫通しており、その下方で、フランジ部２ｆの上面と、側端縁部１ｄの下面とが当接し得るような状態で配されている。これにより、ガイド部材２は、その下面とフランジ部２ｆとで給紙トレイ１のレール孔１ｂの側端縁部１ｄを挟み込むようにして、給紙トレイ１にレール孔１ｂに沿ってスライド可能に取り付けられている。
【００２３】
ここで、図６（ａ）、（ｂ）、（ｃ）を参照して、この画像形成装置１０の給紙トレイ１に、ガイド部材２を取り付ける手順について説明する。ガイド部材２の取り付けは、保持片２ｃを給紙トレイ１の挿入孔１ｃに挿入することにより行われる。すなわち、図６（ａ）に示すように、ガイド部材２を、給紙トレイ１の上方から挿入孔１ｃに保持片２ｃを挿入するように配すると、フランジ部２ｆの下面と爪部１ｅとが当接する。このようにフランジ部２ｆを爪部１ｅに押し当てた状態で、さらにガイド部材２を下方に押し込むと、図に黒矢印で示すように爪部１ｅを下方に撓ませながら、保持片２ｃが挿入孔１ｃに挿入される。そして、このように保持片２ｃを挿入孔１ｃに挿入し、側端縁部１ｄをフランジ部２ｆとガイド部材２の下面とで挟み込み可能にした状態で、ガイド部材２を基準ガイド部１ａに向けスライドさせることにより、図６（ｂ）に示すように、ガイド部材２を給紙トレイ１にスライド自在に取り付けることができる。
【００２４】
本実施形態において、このようにガイド部材２が取り付けられた状態では、ガイド部材２を、レール孔１ｂの挿入孔１ｃが形成されている端部に向けスライドさせたとき、図６（ｃ）に示すように、首部２ｅ又はフランジ部２ｆと撓んだ状態から復元した爪部１ｅの先端部とが当接する。このように保持片２ｃと爪部１ｅとが当接すると、ガイド部材２が、それ以上挿入孔１ｃ寄りの位置にスライドされなくなる。これにより、例えばユーザが意図せず、フランジ部２ｆが挿入孔１ｃから抜脱してガイド部材２が給紙トレイ１から離脱しないように構成されている。なお、ガイド部材２を給紙トレイ１から取り外す必要があるときには、爪部１ｅを下方に撓ませた状態にしたうえで、ガイド部材２を挿入孔１ｃに向けてスライドさせればよい。すなわち、爪部１ｅを保持片２ｃの側面に当接しないように撓ませることにより、フランジ部２ｆを挿入孔１ｃから抜脱して、ガイド部材２を給紙トレイ１から取り外すことが可能である。
【００２５】
本実施形態においては、上述のように爪部１ｅを撓ませながら保持片２ｃを挿入孔１ｃに挿入することによりガイド部材２を給紙トレイ１に取り付け可能であるので、ガイド部材２の取り付け作業をより容易に行うことができ、画像形成装置１０や給紙トレイ１の製造コストを低減することが可能になる。また、爪部１ｅが設けられていることにより、ユーザが意図せず、ガイド部材２が給紙トレイ１から離脱しないように構成されているので、給紙トレイ１を容易に取り扱い可能である。これと共に、ガイド部材２を離脱しないように取り付けるためにガイド部材２とは別の部品を用いる必要が無いので、部品点数を少なくすることができ、画像形成装置１０や給紙トレイ１の製造コストを低減することが可能になる。さらに、ガイド部材２は、その下面とフランジ部２ｆとで給紙トレイ１のレール孔１ｂの側端縁部１ｄをスライド可能に挟み込むようにして嵌装されるので、給紙トレイ１の厚みを厚くする必要がなく、給紙トレイ１を薄型化することが可能である。
【００２６】
なお、本発明は上記実施形態の構成に限定されるものではなく、発明の趣旨を変更しない範囲で適宜に種々の変形が可能である。例えば、給紙トレイ１は、互いに反対方向に動く２つのガイド部材２で記録紙Ｐの各側端部をガイドするように構成されているようなものであってもよく、記録紙Ｐの給紙方向後端部等をガイドするためにガイド部材２を有しているものであってもよい。また、保持片２ｃの形状は、上述のものに限られるものではなく、例えば首部２ｅから記録紙Ｐの給紙方向の片側のみにフランジ部２ｆが、設けられているようなものであったりしてもよい。さらに、給紙トレイ１は、このような画像形成装置１０に用いられるものに限られるものではなく、例えば、インクジェットプリンタや、ファクシミリ装置、スキャナ装置等に用いられるものであってもよい。すなわち、給紙トレイ１に載置される用紙を位置決めするためのガイド部材２をレール孔１ｂに取り付けるための挿入孔１ｃに爪部１ｅを設けることにより、給紙トレイ１の製造コストを低減でき、給紙トレイ１を容易に取り扱い可能なものにすることができる。
【図面の簡単な説明】
【００２７】
【図１】本発明の一実施形態に係る画像形成装置の一例を示す斜視図。
【図２】同上装置の給紙トレイのガイド部材及びエクステンションが取り付けられていない状態を示す斜視図。
【図３】同上給紙トレイの挿入孔近傍を示す斜視図。
【図４】（ａ）は同上給紙トレイのガイド部材を上方から見たときを示す斜視図、（ｂ）は同ガイド部材を下方から見たときを示す斜視図。
【図５】同上給紙トレイのレール孔の長手方向と直交する断面を示す断面図。
【図６】（ａ）は同上給紙トレイにガイド部材を取り付けるときを示す断面図、（ｂ）は同給紙トレイにガイド部材が取り付けられた状態を示す断面図、（ｃ）はガイド部材を挿入孔に向け移動させたときを示す断面図。
【符号の説明】
【００２８】
１  給紙トレイ
１ｂ  レール孔
１ｃ  挿入孔
１ｄ  （レール孔の）側端縁部
１ｅ  爪部
２  ガイド部材
２ｃ  保持片（保持部）
２ｅ  首部
２ｆ  フランジ部
１０  画像形成装置
１１  画像形成部
１２  記録紙搬送機構（用紙搬送機構）
１３  筐体
Ｐ  記録紙（用紙）
【図１】
2007230767.tif 000003
【図２】
2007230767.tif 000004
【図３】
2007230767.tif 000005
【図４】
2007230767.tif 000006
【図５】
2007230767.tif 000007
【図６】
2007230767.tif 000008